(57)【要約】【課題】狭い保管スペースからの取り出しを容易にする、安価に製造可能な取っ手部を備えた投写型映像表示装置を提供すること。【解決手段】本発明に係る投写型映像表示装置は、光源から射出された光束を映像情報に応じて変調して映像光を形成し、この映像光を拡大投写する投写型映像表示装置である。そして、この投写型映像表示装置は、外装を構成する外装筐体１の中央部に、取扱者が片手の指３を挿入することを可能とするように、天面から底面にかけて貫通する貫通孔からなる取っ手部４を備えている。これにより、収納部に対し、正立投写の姿勢の向きを保持しながら取り出し、収納を行うことができる。【選択図】図２
2012233980.tif 000002
【特許請求の範囲】
【請求項１】
光源から射出された光束を映像情報に応じて変調して映像光を形成し、この映像光を拡大投写する投写型映像表示装置であって、
この投写型映像表示装置の外装を構成する外装筐体の平面視中央部分に、取扱者が片手の指を挿入して外装筐体を保持できるようにした、天面から底面にかけて外装筐体を貫通する貫通孔からなる取っ手部を備えている
ことを特徴とする投写型映像表示装置。
【請求項２】
請求項１記載の投写型映像表示装置において、
前記取っ手部を形成する貫通孔は、上方部に対し下方部を拡大する段部を備えている
ことを特徴とする投写型映像表示装置。
【請求項３】
請求項１又は２記載の投写型映像表示装置において、
前記外装筐体は平面視長方形を成し、
前記取っ手部は、平面視長孔形状であって、この長孔の長手方向が前記外装筐体の長手方向と一致するように形成されている
ことを特徴とする投写型映像表示装置。
【請求項４】
請求項１〜３の何れか１項に記載の投写型映像表示装置において、
前記取っ手部は、長手方向の一方側の段部が当該投写型映像表示装置の重心位置に近くなるように配置されている
ことを特徴とする投写型映像表示装置。
【請求項５】
請求項１〜４の何れか１項に記載の投写型映像表示装置において、
前記取っ手部を構成する貫通孔の内表面は、面の交差部が全て丸みを帯びた形状に形成されている
ことを特徴とする投写型映像表示装置。
【請求項６】
請求項２記載の投写型映像表示装置において、
前記取っ手部は、前記段部が上方に湾曲している
ことを特徴とする投写型映像表示装置。
【発明の詳細な説明】
【技術分野】
【０００１】
本発明は、投写型映像表示装置に係り、特に、投写型映像表示装置を持ち運びするための取っ手部の構造に関する。
【背景技術】
【０００２】
投写型映像表示装置は、光源から出射された光束を情報に応じて変調して映像を形成し、この映像光をスクリーンなどに拡大投写するものである。そして、小型の投写型映像表示装置の場合は、投写しないときは、通常、スクリーンがどこかの保管場所に収納される。また、投写型映像表示装置も机の引き出しなどに小さなスペースに他のものと一緒に収納されている。したがって、投写運転の必要が生じたときには、投写型映像表示装置本体もスクリーンもそれぞれ収納部から取り出し、これらを適宜の位置にその都度セットすることが行われている。その場合、投写型映像表示装置本体が狭いスペースに収納されていると、投写型映像表示装置本体の周囲に手を入れる空間も残っていないことがある。
【０００３】
一方、従来の投写型映像表示装置は、取っ手部は外装筐体の端に取り付けられていることが多かった。例えば、特許文献１にものでは、投写型映像表示装置を平坦な床面、机上面などに設置する、所謂正立投写設置した場合における、投写レンズが取り付けられている面、すなわち正面の左右側方の角部に取っ手部が取り付けられている。また、特許文献２のものでは、所謂正立投写設置した場合における天面の左右側部に取っ手部が形成されている。
【先行技術文献】
【特許文献】
【０００４】
【特許文献１】特開２０１０−１４５９６７号公報
【特許文献２】特開２０１０−４９００７号公報
【発明の概要】
【発明が解決しようとする課題】
【０００５】
ところが、このような投写型映像表示装置が前述のように狭いスペースに他のものと一緒に収納されている場合には、周囲に隙間がないため手を掛けることが難しかったり、手を掛けて引き上げようとすると、隣接して収納されている他の収納物に端部が引っかかったりして取り出しにくい場合が生じていた。また、これら従来技術では、取っ手部が左右の２ヶ所に取り付けられているため、部品点数が多くなりコストアップの要因になっていた。また、画角調整の場合には、前記従来のように天面の左右の側部や、前面の左右側に取り付けられているものでは、取っ手部として利用し難いという面もあった。
【０００６】
本発明は、このような従来技術における問題点を解決するものであって、収納作業、取出し作業、画角調整作業に便利であり、コスト軽減可能な取っ手部を備えた投写型映像表示装置を提供することを目的とする。
【課題を解決するための手段】
【０００７】
請求項１に記載された発明に係る投写型映像表示装置は、光源から射出された光束を映像情報に応じて変調して映像光を形成し、この映像光を拡大投写する投写型映像表示装置であって、この投写型映像表示装置の外装を構成する外装筐体の平面視中央部分に、取扱者が片手の指を挿入して外装筐体を保持できるようにした、天面から底面にかけて外装筐体を貫通する貫通孔からなる取っ手部を備えていることを特徴とする。
【０００８】
この構成によれば、投写型映像表示装置の外装を構成する外装筐体の中央部に、取扱者が片手の指を挿入して外装筐体を保持できるようにした取っ手部を備えているので、取っ手部に手の指を挿入して保持すると、投写型映像表示装置を正立投写の姿勢で保持することができる。したがって、投写型映像表示装置を狭いスペースへ収納したり、狭い収納スペースからの取り出しすることが容易になる。また、取っ手部は外装筐体に貫通孔を形成するだけであるので、取っ手部を形成するための部品点数を削減し、コストを軽減することができる。また、投写型映像表示装置を正立投写の姿勢で保持することができるので、画角調整の際にもこの取っ手部を利用することができる。
【０００９】
請求項２に記載の発明は、請求項１記載の投写型映像表示装置において、前記取っ手部を形成する貫通孔は、上方部に対し下方部を拡大する段部を備えていることを特徴とする。この構成によれば、段部により手で握る部分の外装筐体の厚みを薄くすることができるので、これにより人の手で把持し易い厚み方向の寸法に調整することができる。また、この段部を形成することにより底面に指を挿入する隙間を常に確保することができる。したがって、狭い収納部において上方から投写型映像表示装置を保持することが容易になる。
【００１０】
請求項３に記載の発明は、請求項１又は２記載の投写型映像表示装置において、前記外装筐体は平面視長方形を成し、前記取っ手部は、平面視長孔形状であって、この長孔の長手方向が前記外装筐体の長手方向と一致するように形成されていることを特徴とする。この構成によれば、指に掛かる力のバランスを取り易くなる。また、片手で投写型映像表示装置を持ったときに外装筐体が取扱者の体に沿い易い方向となるので、持ち運びが容易になる。
【００１１】
請求項４に記載の発明は、請求項１〜３の何れか１項に記載の投写型映像表示装置において、前記取っ手部は、長手方向の一方側の段部が当該投写型映像表示装置の重心位置に近くなるように配置されていることを特徴とする。この構成によれば、前記取っ手部は、長手方向の一方側の段部が当該投写型映像表示装置の重心位置に近くなるように配置されているので、重心近くの方に指を掛けるようにすることにより、投写型映像表示装置を安定的に持つことができる。
【００１２】
請求項５に記載の発明は、請求項１〜４の何れか１項に記載の投写型映像表示装置において、前記取っ手部を構成する貫通孔の表面は、面の交差部が全て丸みを帯びた形状に形成されていることを特徴とする。この構成によれば、取っ手部を持つ手の感触が良好である。
【００１３】
請求項６に記載の発明は、請求項２記載の投写型映像表示装置において、前記取っ手部は、前記段部が上方に湾曲していることを特徴とする。この構成によれば、取っ手部を持つ指が取っ手部の段部から滑り難くなるので、この指が取っ手部から簡単に滑って外れるようなことがなくなる。
【発明の効果】
【００１４】
本発明に係る投写型映像表示装置によれば、外装を構成する外装筐体の中央部に、取扱者が片手の指を挿入することを可能とするように、天面から底面にかけて貫通する貫通孔からなる取っ手部を備えているので、投写型映像表示装置を正立投写の姿勢を保持しながら持ち運びすることができ、狭いスペースへの収納及びそれからの取り出しが容易になる。また、投写型映像表示装置を正立投写で保持できるので画角調整が容易になる。
【図面の簡単な説明】
【００１５】
【図１】本発明の実施の形態に係る投写型映像表示装置の外観斜視図である。
【図２】同投写型映像表示装置を持ち運びするときの状態図である。
【図３】図１における取っ手部のＡ−Ａ断面図である。
【図４】図１における取っ手部のＢ−Ｂ断面図である。
【図５】同投写型映像表示装置における模式機器配置図である。
【図６】同投写型映像表示装置の収納状態の一例を示す図である。
【図７】変形例に係る取っ手部の断面図である。
【図８】変形例に係る模式機器配置図である。
【発明を実施するための形態】
【００１６】
（実施の形態１）
以下、本発明の実施の形態１に係る投写型映像表示装置について図面を参照しながら説明する。なお、以下の説明において、上下左右方向又は前後方向をいうときは、図１に矢印で示すように、投写型映像表示装置を平坦な床面、机上面などに設置する正立投写設置した場合において、投写レンズ側を前面とした上下左右方向をいうものとする。
【００１７】
本実施の形態に係る投写型映像表示装置は、光源から射出された光束を映像情報に応じて変調して映像光を形成し、この映像光を拡大投写する所謂３板式液晶プロジェクタであって、図１に示すように、左右方向に長く、鉛直方向の寸法が小さい直方体形状の外装筐体１を有する。また、この投写型映像表示装置は、この外装筐体１の前面の左側方よりに投写レンズ２が配置されている。さらに、この外装筐体１の平面視中央部分に、図１及び図２に示すように、取扱者が片手の指３を挿入して外装筐体１を保持できるようにした取っ手部４を備えている。
【００１８】
外装筐体１は、上部筐体１ａと下部筐体１ｂとから構成されている。
また、取っ手部４は、外装筐体１の天面の天面から底面にかけて、上部筐体１ａと下部筐体１ｂとに跨って外装筐体１を貫通する貫通孔からなる。また、この貫通孔は、図１に示すように、平面視長孔形状であって、この長孔の長手方向が外装筐体１の長手方向と一致するように形成されている。
【００１９】
取っ手部４を形成する貫通孔は、図３及び図４に示すように、上方部に対し下方部を拡大する段部５を備えている。これにより、天面から段部５までの上方部の寸法ｔ１を、取扱者がこの投写型映像表示装置を保持する際に適切な寸法とすることが望ましい。また、このように段部５を形成することにより、下方部の拡大された孔部分に取扱者が指を挿入することのできる隙間４ａが確保されている。また、取っ手部４を構成する貫通孔の内表面は、面の交差部が全て丸みを帯びた形状に形成されている。
【００２０】
また、このような取っ手部４が形成された外装筐体１内には、取っ手部４周辺のスペースに従来一般のものと同様の光学系機器、電源などが収納されている。図５はその一例である。これについて説明する。
【００２１】
取っ手部４の前面側には電源部６が収納され、電源部６を冷却した排気ファン７が右側面部に形成されている。
光学系は、光源８から射出された光束を映像情報に応じて変調して映像光を形成し、この映像光を拡大投写するものであって、投写レンズ２が前面左寄りに位置し、光源８が取っ手部４の後方右側に収納された、所謂Ｌ字形配置とされている。
【００２２】
ここで光学系の概略を説明する。光源８からの照射された光は、リフレクタによって平行光となって出射され、インテグレータレンズ９、偏光変換装置１０、コンデンサーレンズ１１、を経て第１のダイクロイックミラー２０へ入射される。
【００２３】
第１のダイクロイックミラー２０は、赤色光成分を透過させるとともに、緑色光成分及び青色光成分を反射させて分離する。赤色光成分は反射ミラー２１及びコンデンサーレンズ２２を経て赤色光用の液晶ライトバルブ３０に導かれる。ダイクロイックミラー２０で分離された緑色光成分及び青色光成分は第２のダイクロイックミラー２３で緑色光成分を反射させるとともに、青色光成分を透過させて分離する。緑色光成分はコンデンサーレンズ２４を介し緑色光用の液晶ライトバルブ４０に導かれる。また、ダイクロイックミラー２３で分離された青色光成分は、リレーレンズ２５、反射ミラー２６、リレーレンズ２７、反射ミラー２８及びコンデンサーレンズ２９を経て青色光用の液晶ライトバルブ５０に導かれる。
【００２４】
光源８から射出された光束は、液晶ライトバルブ３０，４０，５０で映像情報に応じて変調される、そして、変調された赤色光、緑色光、及び青色光は、クロスダイクロイックプリズム６０で合成される。また、クロスダイクロイックプリズム６０で合成さた映像光は、投写レンズ２で拡大されてスクリーン等に投写される。
【００２５】
本実施の形態におけるこのような機器配置において、取っ手部４に手の指３を挿入し、指３で外装筐体１を把持する場合、できるだけ投写型映像表示装置の重心位置付近で持てるようにすると持ち易くなる。そこで、取っ手部４を構成する段部５の一方が投写型映像表示装置の重心位置に近付けられている。
【００２６】
本実施の形態に係る投写型映像表示装置は以上のように構成されているので、取っ手部４の使用方法は次のようになる。
本実施の形態にかかる投写型映像表示装置を持ち運びするときは、第２図のように手の指３を挿入し、指３を段部５に引っ掛けて外装筐体１を把持する。このとき、指３を投写型映像表示装置の重心位置に近いほうの段部５に掛けることによりバランスよく投写型映像表示装置を保持することができる。このために、何れの側の段部５が重心位置に近いかを表示する目印が表示されていると便利である。このような表示としては、例えば図１に示す三角の矢印４ｂのようなものでよい。
【００２７】
次に、この投写型映像表示装置を、例えば図６のように机７１の引き出し７２のような浅くて狭い空間に収納場合には、第２図に示すような持ち方で所定の収納場所に持って行く。そして、上方から所定の場所へ下ろすことにより投写型映像表示装置を正立投写の姿勢に収納することができる。この場合、投写型映像表示装置を真上から下ろすと、隣接空間部に空きスペースがなくても容易に収納することができる。
【００２８】
また、このように収納された投写型映像表示装置を取り出すときは、先ほど述べたと同様、第２図に示すように取っ手部４に手の指３を入れて外装筐体１を保持する。このとき取っ手部４を構成する貫通孔の下方部に段部５が形成されているので、天面から段部５までの寸法ｔ１が人の手では把持するときに都合のよい厚みに形成されていると把持が楽になる。また、このように段部５が形成されていることにより、段部５の方へ指３を曲げ得る隙間４ａを形成することができる。この場合において、前記厚み方向の寸法ｔ１に優先して指を入れる隙間４ａを確保することを優先させることが好ましい。
【００２９】
そして、保管場所から取り出された投写型映像表示装置は、設置場所へ載置され、スクリーンに光を照射して画角合わせが行われる。このとき投写型映像表示装置の向きを変えたり設置場所を調整したりするときにも先ほどの持ち運びするときと同様に、取っ手部４に手の指３を挿入して投写型映像表示装置を持てば、所謂正立投写の姿勢を保持しながら位置調整及び角度調整できるので、画角調整がやり易くなる。
【００３０】
実施の形態１に係るに投写型映像表示装置は、以上のように構成されているので、次のような効果を奏することができる。
（１）投写型映像表示装置の外装を構成する外装筐体１の中央部には、取扱者が片手の指３を挿入して外装筐体１を保持できるようにした取っ手部４を備えているので、取っ手部４に手の指３を挿入して把持することにより投写型映像表示装置を正立投写の姿勢で保持することができる。したがって、投写型映像表示装置を狭いスペースへ収納したり、狭い収納スペースからの取り出しすることが容易になる。
【００３１】
（２）取っ手部４は、外装筐体１に貫通孔を形成しただけのものであるので、取っ手部を形成するための部品点数を削減し、コストを軽減することができる。
（３）また、投写型映像表示装置を正立投写の姿勢で保持することができるので、画角調整の際にもこの取っ手部を４利用することができる。
【００３２】
（４）また、取っ手部４を形成する貫通孔は、段部５の位置を適切に設定すると、手で握る部分の厚みを適切な寸法ｔ１とすることができるので、人の手で把持し易い厚みで製作することができる。また、この段部５が形成されることにより、段部５の下方に指３を挿入する隙間４ａを確保することができる。したがって、狭い収納部において上方から投写型映像表示装置を保持することが容易になる。
【００３３】
（５）外装筐体１は平面視長方形を成し、取っ手部４は、平面視長孔形状であって、この長孔の長手方向が外装筐体１の長手方向と一致するように形成されているので、指３に掛かる力のバランスを取り易くなる。また、片手で投写型映像表示装置を持ったときに外装筐体１が取扱者の体に沿い易い方向となるので、持ち運びが容易になる。
【００３４】
（６）取っ手部４は、長手方向の一方側の段部５が当該投写型映像表示装置の重心位置に近くなるように配置されているので、重心近くの方に指を掛けるようにすることにより、投写型映像表示装置を安定的に持つことができる。
【００３５】
（７）取っ手部４を構成する貫通孔の表面は、面の交差部が全て丸みを帯びた形状に形成されているので、取っ手部４を持つ手の感触が良好である。
（変形例）
本発明は、上記実施の形態において以下のように変更することもできる。
【００３６】
・上記各実施の形態は３板式液晶プロジェクタとしているが、他の形式の液晶プロジェクタとしてもよい。
・また、取っ手部４を構成する段部５の形状に関し、前記実施の形態においては段部５は底面に略平行な面に形成されていたが、この段部５を図７に示すように上部へ湾曲させるようにしてもよい。このようにすることにより取っ手部４から手の指３が滑り難くなる。このように湾曲させる部分は、投写型映像表示装置を持ち運びするときに手の指３を掛ける側の長手方向の段部５のみに設けている。しかし、段部５全ての部分にわたって上方への湾曲を形成するようにしてもよい。
【００３７】
・また、図５における機器配置を、これとは異なるように配置しても良いことは勿論である。図８はその一例であって、図５と同一の部品には同一の符号を付している。
この図においては、外装筐体１を前後方向に長い直方体とするとともに、取っ手部４をこの外装筐体１の長手方向とは直角の方向（すなわち、左右方向）に向けて、外装筐体１の中央部に配置している。光学系は機能的には同一であるが、配置を異ならせている。すなわち、前面中央部に投写レンズ２を配置するとともに、光源８からコンデンサーレンズ１１までの部分を取っ手部の後部に配置し、図５にはない部品であって追加した反射ミラー１２により光源８からの照射光を直角に屈折させてダイクロイックミラー２０に照射させている。また、ダイクロイックミラー２０，２３のラインを取っ手部４の前部におき、これを左方から右方へ延ばしている。したがって、このラインは、光源８から反射ミラー１２までの部分との組み合わせにおいてＵ字型を成しているので、この光学系はＵ字形配置とも称せられている。このように、外装筐体１の形状、取っ手部４の配置、光学系機器の配置を適宜変更してもよい。
【００３８】
・なお、上記ではいろいろなものを組合わせて変更しているが、それらの一部のみを変更してもよいことは勿論である。例えば、図５において、取っ手部４の長手方向の向きを直角方向に回転した配置としてもよい。
【産業上の利用可能性】
【００３９】
本発明は、片手で容易に持ち運びのできる小型の投写型映像表示装置への適用が好適である。
【符号の説明】
【００４０】
１…外装筐体、２…投写レンズ、３…指、４…取っ手部、５…段部、８…光源。
【図１】
2012233980.tif 000003
【図２】
2012233980.tif 000004
【図３】
2012233980.tif 000005
【図４】
2012233980.tif 000006
【図５】
2012233980.tif 000007
【図６】
2012233980.tif 000008
【図７】
2012233980.tif 000009
【図８】
2012233980.tif 000010